(57)【要約】【課題】  一実施形態によると、パレンタルコントロール機能に音声制御技術を組み合わせることで、従来よりも利用しやすい制御が実現できる映像信号処理装置を提供することを目的とする。【解決手段】  一実施形態の映像信号処理装置は、音声命令が入力される音声信号入力部と、前記音声信号入力部から入力した前記音声命令の元である話者と該話者の年齢を特定する話者特定部と、前記特定された前記年齢と、前記音声命令に基づき、前記音声命令は予め設定されている制限情報に対して許容されるべきか否定されるべきかを判断する判断部と、前記判断部が前記音声命令は許容されるべきと判断した場合は前記音声命令を実行する制御実行部と、前記判断部が前記音声命令は否定されるべきと判断した場合は警告を出力する警告出力部と、を備えた提供できる。【選択図】  図１
2020190836.tif 000002
【特許請求の範囲】
【請求項１】
音声命令が入力される音声信号入力部と、
前記音声信号入力部から入力した前記音声命令の元である話者と該話者の年齢を特定する話者特定部と、
前記特定された前記年齢と、前記音声命令に基づき、前記音声命令は予め設定されている制限情報に対して許容されるべきか否定されるべきかを判断する判断部と、
前記判断部が前記音声命令は許容されるべきと判断した場合は前記音声命令を実行する制御実行部と、
前記判断部が前記音声命令は否定されるべきと判断した場合は警告を出力する警告出力部と、
を備えた映像信号処理装置。
【請求項２】
前記音声命令は、言語理解部により言語が認識されて、前記判断部に入力される、請求項１記載の映像信号処理装置。
【請求項３】
前記音声命令に応じた前記実行は、
放送されるチャンネルの番組の表示処理又は受信処理又は記録再生装置からの再生処理の何れかである、請求項１記載の映像信号処理装置。
【請求項４】
前記話者特定部と前記判断部と前記言語理解部の少なくとも１つは、ネットワークを介して外部に配置されている、請求項２又は３記載の映像信号処理装置。
【請求項５】
音声信号入力部に音声命令を入力し、
話者特定部により前記音声信号入力部から入力した前記音声命令の元である話者と該話者の年齢を特定し、
言語理解部により前記音声命令の言語を認識し、
判断部により、前記特定された前記年齢と、前記音声命令と、前記認識された前記言語に基づき、前記音声命令は予め設定されている制限情報に対して許容されるべきか否定されるべきかを判断し、
制御実行部により、前記判断部が前記音声命令は許容されるべきと判断した場合は前記音声命令を実行し、
警告出力部により、前記判断部が前記音声命令は否定されるべきと判断した場合は警告を出力する
映像信号処理方法。
【請求項６】
前記警告出力部により前記警告を出力された状態であっても、前記音声命令として異なる話者からの第２の音声命令が入力した場合、判断部が第２の音声命令を許容すると判断する、請求項５記載の映像信号処理方法。
【請求項７】
前記制御実行部により前記音声命令が実行された状態であって、前記判断部が新しく入力した音声信号に係わる年齢から現在の前記実行は否定すべきであることを判断した場合は、警告又はチャンネル切り替えを判断する、請求項５記載の映像信号処理方法。
【発明の詳細な説明】
【技術分野】
【０００１】
本実施形態は、映像信号処理装置、映像信号処理方法に関する。
【背景技術】
【０００２】
近年、音声認識技術の向上により、音声で制御を行うことのできる機器が増えてきている。映像信号処理装置もその例外ではない。例えばユーザが、電源のオンオフやチャンネル変更を行うのに、リモートコントローラを操作することなく、例えば「電源つけて」「チャンネル変えて」のような音声を発話するだけで、その制御を行えるようになってきた。
【０００３】
一方、映像信号処理装置には、パレンタルコントロール（視聴制限）の機能があり、過激な内容の番組コンテンツなどには、番組情報として制限年齢が付与されている。その番組情報を利用することで、その許容年齢に達しない子供には、コンテンツの視聴を制限することができるようになっている。
【先行技術文献】
【特許文献】
【０００４】
【特許文献１】特開２００５−２２３８４６号公報
【発明の概要】
【発明が解決しようとする課題】
【０００５】
これまでの映像信号処理装置におけるパレンタルコントロールの仕組みは、主に、制限なく視聴できる年齢情報をあらかじめ映像信号処理装置に設定しておき、もし番組のもつ年齢情報が映像信号処理装置に設定された年齢の範囲外の場合に、解除コードを入力するまではその番組の視聴をできない状態にするという仕組みであった。
【０００６】
例えば、映像信号処理装置に、パレンタル制御年齢が１４歳以上と設定されていた場合、対象年齢が１４歳以下のコンテンツを閲覧することは視聴者の年齢に関係なく無制限で行えるが、例えば対象年齢が１９歳という情報が付与されたコンテンツを閲覧する場合には、たとえ視聴者が２０歳以上であったとしても、その年齢に関係なく、視聴するためには、パレンタルロックを解除しなければならない。
【０００７】
このように、映像信号処理装置上では、本当は視聴を許されている人が、番組に付された制限のために視聴できない場合に、解除コードを入力するという手順が必要となっていた。また上記の例のパレンタルロック方式では、その視聴を制限されるべき子供が知ってしまった場合、解除コードを変更するまでの間、子供でも番組の制限を自由に解除して視聴できてしまうという問題があった。
【０００８】
そこでこの実施形態ではパレンタルコントロール機能に音声制御技術を組み合わせることで、従来よりも利用しやすく、パレンタルロック機能も確実となる、映像信号処理装置、映像信号処理方法を提供することを目的とする。
【０００９】
また他の実施形態では、音声コマンドに基づく処理実行するに際して、そのコマンド入力者を事前に特定して、そのコマンド入力者の年齢情報からパレンタルコントロールの制限・解除を、解除コードの操作入力を要せずに、行うことを可能とする映像信号処理装置映像信号処理方法を提供することを目的とする。
【課題を解決するための手段】
【００１０】
一実施形態の映像信号処理装置によると、
音声命令が入力される音声信号入力部と、
前記音声信号入力部から入力した前記音声命令の元である話者と該話者の年齢を特定する話者特定部と、
前記特定された前記年齢と、前記音声命令に基づき、前記音声命令は予め設定されている制限情報に対して許容されるべきか否定されるべきかを判断する判断部と、
前記判断部が前記音声命令は許容されるべきと判断した場合は前記音声命令を実行する制御実行部と、
前記判断部が前記音声命令は否定されるべきと判断した場合は警告を出力する警告出力部と、を備えた提供できる。
【００１１】
また前記音声命令を前記判断部に入力する系統では音声帯域の音声データをテキスト化する音声認識部、テキストデータを機械語（機械的命令）にする自然言語理解部が用いられる。
【図面の簡単な説明】
【００１２】
【図１】図１は本発明の一実施形態に係る映像信号処理装置の全体構成を示す構成説明図である。
【図２】図２は図１に示した映像信号処理装置において、ユーザ情報を事前設定するときに機能するブロックを取り出して示す部分構成図である。
【図３】図３は図１に示した映像信号処理装置において、パレンタル制限を受けないユーザがチャンネル選択を行う場合の説明図である。
【図４】図４は図１に示した映像信号処理装置において、パレンタル制限を受けるユーザがチャンネル選択を行う場合の説明図である。
【図５】図５は図１に示した映像信号処理装置の一動作例を説明するフローチャートである。
【図６】図６は図１に示した映像信号処理装置の他の動作例を説明するフローチャートである。
【発明を実施するための形態】
【００１３】
以下、実施の形態について図面を参照して説明する。図１は一実施形態であり、例えば放送受信装置１００に適用された例である。放送受信装置１００における受信系統の基本構成５０は、チューナ装置５１、映像・音声データ処理装置５３、映像信号出力部５４、オーディオ信号出力部５５、記録・再生媒体接続部５６などで構成される。さらにまた、ネットワーク接続５２も設けられており、外部サーバ等と通信を行うことができる。例えば外部サーバには、ビデオオンデマンドによる動画配信機能があり、視聴者は配信画像を視聴することも可能である。さらには、外部サーバに対して、視聴ログをアップロードすることも可能である。外部サーバは、多数の放送受信装置からの視聴ログを解析して、視視聴者に対して今人気のあるおすすめ番組や、商業コマーシャルなどの情報をサービスすることができる。
【００１４】
ここで本実施形態の映像信号処理装置は、マイク（音声信号入力部）１１を備える。マイク１１で取得したデータは、音声認識部１２、特徴量検出部１４に入力される。音声認識部１２は、音声帯域の音声データをテキスト化し、このテキストデータを機械語（機械的命令）にする自然言語理解部１３に入力する。つまり音声認識部１２と自然言語理解部１３は、音声による発話内容を辞書データなど用いて理解（解読）して命令を出力し、パレンタル制御判断部１７に入力する。この音声認識部１２及び又は自然言語理解部１３は、インターネットを介して外部サーバに設けられていてもよい。自然言語理解部１３で理解された発話内容による命令は、パレンタル制御部１７に送られる。
【００１５】
一方、特徴量検出部１４は、例えば話者の声紋などを解析して声紋解析データを出力する。声紋解析データは、話者特定部１５に入力する。個人個人の話者の声紋解析データ（特徴量）は、予めデータベース１６に登録されている。図の例では、ユーザＡ（年齢４３）、
ユーザＢ（年齢４１）、ユーザＣ（年齢１５）、ユーザＤ（年齢１０）の特徴量がそれぞれデータベース１６に登録されている。
【００１６】
話者特定部１５は、入力した新しい声紋解析データと、データベース１６に登録されている複数の登録済声紋解析データとを次々と比較し、新しい声紋解析データに対応する話者を特定する。
【００１７】
特定された話者の年齢もデータベースに登録されている。これにより、現在発話した話者（ユーザ）は、何歳であるかが判明する。
【００１８】
パレンタル制御判断部１７は、特定された話者と、その年齢と、パレンタル制御（ロック）すべき番組の番組情報を受け取る。
【００１９】
パレンタル制御（ロック）すべき番組は、その番組情報において制限年齢が指定されている。即ち、番組情報は、チャンネルと制限すべきマーク（識別データ）が付されてデータベース１８に格納されている。データベース１８には、制限すべき限度となる年齢と制限すべきチャンネルのデータがペアで格納されている。この図の例ではＹｃｈチャンネルでは、１２歳以下が制限されており、Ｚｃｈチャンネルでは、１８歳以下が制限されている。なお番組情報は、映像再生装置２２に記録された番組の番組情報を含んでもよい。
【００２０】
パレンタル制御判断部１７は、特定された話者と、その年齢と、パレンタル制御（ロック）すべき番組の情報を受け取り、以下のように判断する。
【００２１】
即ち、新しい話者がユーザＤであり、例えば「Ｙｃｈチャンネルにして」と発話したとする。このときは、ユーザＤは１２歳以下であり、一方Ｙｃｈチャンネルは、１２歳以下には制限がかかっているので、パレンタル制御判断部１７は、チャンネル切り替えができないものと判断し、その判断結果を制御実行部２１に通知する。すると、制御実行部２１は、警告出力部（表示及び又は音声）２３により、例えば「この番組を視聴することはできません」のように警告を出力する。また、記録再生装置２３に対して出力（或いは再生）停止信号を出力する。
【００２２】
なお上記各ブロックの動作順序などは、システム制御部３０の制御に基づいてコントロールされている。
【００２３】
上記したように、本システムでは、音声の声紋などで個人個人を特定することが可能である。このために、パンレンタル制御された番組に対して、個人毎にかつ受信装置毎に「解除」と「制限」が確実に行われることになる。
【００２４】
図２は、例えば家庭のユーザＡ，Ｂ，Ｃ，Ｄがそれぞれの音声の特徴と年齢情報を、管理テーブルに構築するための構成を示している。図１と共通する部分には、図１と同じ符号を付して説明する。
【００２５】
ユーザは、例えばリモートコントローラ（図示せず）、或いは、放送受信装置１００に設けられている特定の操作キーを操作して、ユーザ登録モードに装置を切り替える。この場合、操作キーによる入力は、例えば放送受信装置１００を管理する父親（例えばユーザＡ）或いは母親（例えばユーザＢ）のみが知る特定の暗証番号が好ましい。装置が登録モードになると、話者年齢情報設定部５１が起動し、これから登録すべき話者（例えばユーザＣ，或いはＤ）の音声入力モードとなる。
【００２６】
この場合、最初は、管理者（例えばユーザＡ）が管理者としての音声の特徴量を予め登録していることが好ましい。これは、その後、管理者（例えばユーザＡ）を除くこれからの登録者（例えばユーザＣ或いはＤ）の音声の特徴量を登録するとき、管理者が、音声でこれからの登録者に対して指示を出すことがあるからである。このような登録モードのときは、管理者の音声が検知されたとしても、話者特定部１５は、管理者の音声を無視して、新しく検知した話者の特徴量を新しいユーザとして認識して、データベース１６に登録する。そして、当該ユーザの年齢情報の入力を待つ。
【００２７】
年齢情報は、話者年齢情報設定部５１により検出され、データベース１７に登録される。年齢情報は、例えばリモートコントローラによる入力や、音声入力が可能である。音声入力の場合は、先に検出した声紋を持つユーザが発話した年齢を検出する。例えば１０歳、或いは６歳などの発話を理解して年齢判断を行う。これにより、データベース１６には、ユーザと、このユーザの年齢と、このユーザの音声の特徴量データとが関連付けて登録される。
【００２８】
上記の登録に関しては、システム制御部３０のシーケンス制御に基づいて、操作ガイド音声及び又は文字などの操作ガイドの表示が出力される。
【００２９】
図３は、例えばユーザＣ（１５歳）が音声により、チャンネル切り替えとして、チャンネルＸｃｈを発話により指示した例を示している。例えば「チャンネルをＸｃｈにして」と発話した例を示している。この発話は、音声認識部１２でテキスト化され、自然言語理解部１３において、命令語（例えばChang ch: X）に変換されて、パレンタル制御判断部１７に入力される。この場合、データベース１６上では話者は、１５歳として特定され、自然言語理解部１３では、話者がＸｃｈチャンネルへの切り替えを指示したことが検出される。
【００３０】
パレンタル制御判定部１７は、データベース１８を参照して、Ｘｃｈチャンネルに対して番組情報に基づく制限が与えられているか否かの判定を行う。データベース１８上では、Ｘｃｈチャンネルに対する視聴制限はないためにパレンタル制御判定部１７は制御実行部２１に対して、Ｘｃｈチャンネルへの切り替えを指示する。同様な動作は、ユーザＤがＸｃｈチャンネルの指示を行ってもＸｃｈチャンネルへの切り替えが実行される。
【００３１】
図４は、例えばユーザＤ（１０歳）が音声により、チャンネル切り替えとして、Ｚｃｈチャンネルを発話により指示した例を示している。この場合、データベース１６上では話者は、１０歳として特定され、自然言語理解部１３では、話者がＺｃｈチャンネルへの切り替えを指示したことが検出される。
【００３２】
パレンタル制御判定部１７は、データベース１８を参照して、Ｚｃｈチャンネルに対して番組情報に基づく制限が与えられているか否かの判定を行う。データベース１８上では、
１８歳以下の人への制限が与えられている。このために、パレンタル制御判定部１７は、Ｚｃｈチャンネルの切り替えを拒否すべく制御実行部２１へ通知する。するとこの場合は、警告出力部２３により、例えば「この番組を視聴することはできません」のように警告を出力する。なお図３、図４において、図１と同一部には同一符号を付して説明は省略する。
【００３３】
制御実行部２１が実行する番組視聴制限処理のタイプは、各種の方法が可能である。例えば、制限されている番組のチャンネル受信そのものを制限する、或いはチャンネルは受信するが、番組の復調を行わない、或いは復調まで行うが、出力を停止する、さらには出力をすべてクロレベル或いは白レベルの画像とするなど、各種の方法が可能である。
【００３４】
本システムは上記の実施形態に限定されるものではない。音声命令による機器操作機能および話者特定機能は、上記放送受信装置１００内に設けられる必要はなく、ネットワークを通じて外部の装置に設けられていてもよい。したがって、放送受信装置１００内には、例えばマイク１１、パレンタル制御判断部１７、制御実行部２１、警告出力部２３、システム制御部３０と、基本構成５０が設けられ、音声認識部１２、自然言語理解部１３、特徴量検出部１４、話者特定部１５、データベース１６、１８、などは外部に設けられていてもよい。さらにはパレンタル制御判断部１７も外部に設けられてよい。
【００３５】
話者特定部１５は、事前に機器を操作するユーザの声を記憶（学習）しておき、その声との類似度で同一人物と判断した。しかし、ユーザ声の事前学習は行わず、音声コマンドのデータの特徴量（周波数成分など）を用いて、その声の年齢層を推定する手法も可能である。この場合、正確な年齢の推定までは難しいが、明らかな子供声の場合は視聴制限対象とする一方、明らかな大人声の場合は視聴制限対象にしないという制御も実現可能である。
【００３６】
話者の年齢情報については、事前に設定した。さらに生年月日を入力しておくことで、年齢情報を（誕生日がきたら）自動で調節する機能を付加してもよい。視聴コンテンツとしては、地デジやＢＳなどの放送局が提供する番組を想定しているが、YouTube（登録商標）やNetflix（登録商標）などのネットワークストリーミングコンテンツであっても、制限年齢の情報を持つコンテンツであればすべてに適用できる。
【００３７】
実際に、「チャンネルを・・・にして」の音声コマンドが、視聴制限に引っかかった場合に、チャンネル変更をしない、チャンネル変更するが黒画面にする、指定されたチャンネル以降の最初の視聴可能チャンネルに変更をする、音声でチャンネル変更が失敗したことを伝える、画面上にチャンネル変更が失敗したことを表示するなどの機能を追加することも可能である。
【００３８】
上記したように本システムは、ユーザの音声認識と年齢認識を行うことができるために次のような動作を得ることも可能である。
【００３９】
図５は、例えば子供（１０歳）が、「Ｙｃｈチャンネルに切り替えて」と発話した場合である。この場合、本システムでは、Ｙｃｈチャンネルは、１０歳の子供に対しては視聴拒否し、警告を発する（ステップＡｓ１、Ａｓ２）。しかし、同じ部屋に父親が居て、「Ｙｃｈの今の番組は子供が視聴しても構わない」と判断した場合、父親が「Ｙｃｈチャンネルに切り替えて」と発話して、Ｙｃｈチャンネルへの切り替えを実現させることが可能である（ステップＡｓ３、Ａｓ４）。
【００４０】
図６は、他の動作例を示している。今父親（４３歳）が、Ｙｃｈチャンネルの番組を視聴していたとする（ステップＢｓ１）。ここで、例えば子供（１０歳）が部屋に入ってきて、子供の声を本実施形態のシステムが認識したとする（ステップＢｓ２）。このときの音声は、放送受信装置１００に対する音声命令に限定されない。
【００４１】
すると、システムは、自動的にＸｃｈチャンネル（制限がかかっていない番組）へ自動的に切り替える（ステップＢｓ３１）、或いは、警告のテロップ又は音を出力する（ステップＢｓ３２）、或いは画像を非表示（全面黒または白）に切り替える（ステップＢｓ３３）などの何れかの処理を実行する。そして次の操作があるのを待ち（ステップＢｓ３４）、次の操作があれば処理を終了する。ステップＢｓ３１、Ｂｓ３２，Ｂｓ３３の何れを実行させるかは、ユーザ（管理者）が予め選択して設定することが可能である。或いは、放送受信装置１００の出荷時にいずれかが設定されていてもよい。
【００４２】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態の変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
【００４３】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００４４】
１１・・・マイク、１２・・・音声認識部、１３・・・自然言語理解部、１４・・・特徴量検出部、１５・・・話者特定部、１７・・・パレンタル制御判断部、２１・・・制御実行部、２０・・・基本構成、１００・・・放送受信装置。
【図１】
2020190836.tif 000003
【図２】
2020190836.tif 000004
【図３】
2020190836.tif 000005
【図４】
2020190836.tif 000006
【図５】
2020190836.tif 000007
【図６】
2020190836.tif 000008